【手続補正書】
【提出日】平成28年4月22日(2016.4.22)
【手続補正１】
【補正対象書類名】特許請求の範囲
【補正対象項目名】全文
【補正方法】変更
【補正の内容】
【特許請求の範囲】
【請求項１】
記憶手段を備える情報処理装置であって、
入力フォームと、当該入力フォームの属性を示す属性情報とを含む第１の画面を表示するよう制御する表示制御手段と、
前記表示制御手段により表示された前記第１の画面が備える入力フォームに対して、データの入力を受け付ける入力受付手段と、
前記入力受付手段で入力を受け付けたデータと、当該データが入力された入力フォームの前記属性情報とを前記記憶手段に保存する保存手段と、
前記第１の画面とは異なる第２の画面の表示指示を受け付ける表示指示受付手段と
を備え、
前記表示制御手段は、前記表示指示受付手段で表示指示を受け付けた前記第２の画面が備える入力フォームのうち、前記保存手段で保存された前記属性情報に対応する入力フォームに、前記保存手段で保存されたデータであって、当該属性情報に対応するデータが入力された状態で当該第２の画面を表示するよう制御することを特徴とする情報処理装置。
【請求項２】
前記表示制御手段は、前記保存手段で保存された前記属性情報に対応する入力フォームが前記第２の画面に存在しない場合には、前記保存手段で保存されたデータであって、当該属性情報に対応するデータが入力されていない状態で当該第２の画面を表示するよう制御することを特徴とする請求項１に記載の情報処理装置。
【請求項３】
前記保存手段は、ユーザから指示された前記データと、当該データが入力された入力フォームの前記属性情報とを前記記憶手段に保存し、
前記表示制御手段は、前記表示指示受付手段で表示指示を受け付けた前記第２の画面が備える入力フォームのうち、前記保存手段で保存された前記属性情報に対応する入力フォームに、ユーザから指示された前記データであって、当該属性情報に対応するデータが入力された状態で当該第２の画面を表示するよう制御することを特徴とする請求項１または２に記載の情報処理装置。
【請求項４】
前記表示制御手段は、更に、前記保存手段で保存されたデータを、前記入力受付手段で入力を受け付けたデータとは異なる形態で前記第１の画面及び前記第２の画面に表示するよう制御することを特徴とする請求項１乃至３のいずれか１項に記載の情報処理装置。
【請求項５】
前記第１の画面と前記第２の画面とは、Ｗｅｂページであることを特徴とする請求項１乃至４のいずれか１項に記載の情報処理装置。
【請求項６】
前記属性情報は、前記入力フォームの項目名であることを特徴とする請求項１乃至５のいずれか１項に記載の情報処理装置。
【請求項７】
記憶手段を備える情報処理装置の制御方法であって、
前記情報処理装置の表示制御手段が、入力フォームと、当該入力フォームの属性を示す属性情報とを含む第１の画面を表示するよう制御する表示制御ステップと、
前記情報処理装置の入力受付手段が、前記表示制御ステップにより表示された前記第１の画面が備える入力フォームに対して、データの入力を受け付ける入力受付ステップと、
前記情報処理装置の保存手段が、前記入力受付ステップで入力を受け付けたデータと、当該データが入力された入力フォームの前記属性情報とを前記記憶手段に保存する保存ステップと、
前記情報処理装置の表示指示受付手段が、前記第１の画面とは異なる第２の画面の表示指示を受け付ける表示指示受付ステップと
を備え、
前記表示制御ステップは、前記表示指示受付ステップで表示指示を受け付けた前記第２の画面が備える入力フォームのうち、前記保存ステップで保存された前記属性情報に対応する入力フォームに、前記保存ステップで保存されたデータであって、当該属性情報に対応するデータが入力された状態で当該第２の画面を表示するよう制御することを特徴とする情報処理装置の制御方法。
【請求項８】
記憶手段を備える情報処理装置の制御方法を実行可能なプログラムであって、
前記情報処理装置を、
入力フォームと、当該入力フォームの属性を示す属性情報とを含む第１の画面を表示するよう制御する表示制御手段と、
前記表示制御手段により表示された前記第１の画面が備える入力フォームに対して、データの入力を受け付ける入力受付手段と、
前記入力受付手段で入力を受け付けたデータと、当該データが入力された入力フォームの前記属性情報とを前記記憶手段に保存する保存手段と、
前記第１の画面とは異なる第２の画面の表示指示を受け付ける表示指示受付手段
として機能させ、
前記表示制御手段は、前記表示指示受付手段で表示指示を受け付けた前記第２の画面が備える入力フォームのうち、前記保存手段で保存された前記属性情報に対応する入力フォームに、前記保存手段で保存されたデータであって、当該属性情報に対応するデータが入力された状態で当該第２の画面を表示するよう制御することを特徴とするプログラム。
【請求項９】
記憶手段を備える情報処理システムであって、
入力フォームと、当該入力フォームの属性を示す属性情報とを含む第１の画面を表示するよう制御する表示制御手段と、
前記表示制御手段により表示された前記第１の画面が備える入力フォームに対して、データの入力を受け付ける入力受付手段と、
前記入力受付手段で入力を受け付けたデータと、当該データが入力された入力フォームの前記属性情報とを前記記憶手段に保存する保存手段と、
前記第１の画面とは異なる第２の画面の表示指示を受け付ける表示指示受付手段と
を備え、
前記表示制御手段は、前記表示指示受付手段で表示指示を受け付けた前記第２の画面が備える入力フォームのうち、前記保存手段で保存された前記属性情報に対応する入力フォームに、前記保存手段で保存されたデータであって、当該属性情報に対応するデータが入力された状態で当該第２の画面を表示するよう制御することを特徴とする情報処理システム。
【請求項１０】
記憶手段を備える情報処理システムの制御方法であって、
前記情報処理システムの表示制御手段が、入力フォームと、当該入力フォームの属性を示す属性情報とを含む第１の画面を表示するよう制御する表示制御ステップと、
前記情報処理システムの入力受付手段が、前記表示制御ステップにより表示された前記第１の画面が備える入力フォームに対して、データの入力を受け付ける入力受付ステップと、
前記情報処理システムの保存手段が、前記入力受付ステップで入力を受け付けたデータと、当該データが入力された入力フォームの前記属性情報とを前記記憶手段に保存する保存ステップと、
前記情報処理システムの表示指示受付手段が、前記第１の画面とは異なる第２の画面の表示指示を受け付ける表示指示受付ステップと
を備え、
前記表示制御ステップは、前記表示指示受付ステップで表示指示を受け付けた前記第２の画面が備える入力フォームのうち、前記保存ステップで保存された前記属性情報に対応する入力フォームに、前記保存ステップで保存されたデータであって、当該属性情報に対応するデータが入力された状態で当該第２の画面を表示するよう制御することを特徴とする情報処理システムの制御方法。
【請求項１１】
記憶手段を備える情報処理システムの制御方法を実行可能なプログラムであって、
前記情報処理システムを、
入力フォームと、当該入力フォームの属性を示す属性情報とを含む第１の画面を表示するよう制御する表示制御手段と、
前記表示制御手段により表示された前記第１の画面が備える入力フォームに対して、データの入力を受け付ける入力受付手段と、
前記入力受付手段で入力を受け付けたデータと、当該データが入力された入力フォームの前記属性情報とを前記記憶手段に保存する保存手段と、
前記第１の画面とは異なる第２の画面の表示指示を受け付ける表示指示受付手段
として機能させ、
前記表示制御手段は、前記表示指示受付手段で表示指示を受け付けた前記第２の画面が備える入力フォームのうち、前記保存手段で保存された前記属性情報に対応する入力フォームに、前記保存手段で保存されたデータであって、当該属性情報に対応するデータが入力された状態で当該第２の画面を表示するよう制御することを特徴とするプログラム。
【手続補正２】
【補正対象書類名】明細書
【補正対象項目名】発明の名称
【補正方法】変更
【補正の内容】
【発明の名称】情報処理装置、その制御方法、及びプログラム、並びに情報処理システム、その制御方法、及びプログラム
【手続補正３】
【補正対象書類名】明細書
【補正対象項目名】０００１
【補正方法】変更
【補正の内容】
【０００１】
本発明は、第１の画面で入力フォームに入力されたデータが、第１の画面とは異なる第２の画面で入力された状態で表示可能な情報処理装置、その制御方法、及びプログラム、並びに情報処理システム、その制御方法、及びプログラムに関する。
【手続補正４】
【補正対象書類名】明細書
【補正対象項目名】０００９
【補正方法】変更
【補正の内容】
【０００９】
本発明は、第１の画面で入力フォームに入力されたデータが、第１の画面とは異なる第２の画面で入力された状態で表示可能な仕組みを提供することを目的とする。
【手続補正５】
【補正対象書類名】明細書
【補正対象項目名】００１０
【補正方法】変更
【補正の内容】
【００１０】
上記の目的を達成するために、請求項１に記載の情報処理装置は、記憶手段を備える情報処理装置であって、入力フォームと、当該入力フォームの属性を示す属性情報とを含む第１の画面を表示するよう制御する表示制御手段と、前記表示制御手段により表示された前記第１の画面が備える入力フォームに対して、データの入力を受け付ける入力受付手段と、前記入力受付手段で入力を受け付けたデータと、当該データが入力された入力フォームの前記属性情報とを前記記憶手段に保存する保存手段と、前記第１の画面とは異なる第２の画面の表示指示を受け付ける表示指示受付手段とを備え、前記表示制御手段は、前記表示指示受付手段で表示指示を受け付けた前記第２の画面が備える入力フォームのうち、前記保存手段で保存された前記属性情報に対応する入力フォームに、前記保存手段で保存されたデータであって、当該属性情報に対応するデータが入力された状態で当該第２の画面を表示するよう制御することを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】変更
【補正の内容】
【００１８】
本発明によれば、第１の画面で入力フォームに入力されたデータが、第１の画面とは異なる第２の画面で入力された状態で表示可能となる。